(57)【要約】【課題】印刷表示媒体や通信文等の情報を隠蔽して郵送するために、その情報等の表示面を、剥離可能に接着した葉書等の通信体であって、剥離した際に芳香成分を放出することのできる葉書等の通信体に関し、通信体を開封しない限り芳香成分が不用意に放出されることがなく、しかも開封すれば芳香成分が速やかに放出されて受信者に所望の芳香を付与することができる葉書等の通信体を提供することを課題とするものである。【解決手段】通信体本体１が、折り畳み可能に連設された少なくとも２枚の折り合わせ片１ａ，１ｂ　からなり、且つ該２枚の折り合わせ片１ａ，１ｂ　にガスバリヤー性の合成樹脂フィルムからなるバリヤーフィルム４が接着され、且つ折り畳まれる２枚の折り合わせ片１ａ，１ｂ　の内面側の前記バリヤーフィルム４の対面する面が相互に剥離可能に接着され、しかも前記剥離可能に接着されるバリヤーフィルム４の対面する面間に芳香剤を介装したことを特徴とする。【選択図】　　図３
2004136618.tif 000002
【特許請求の範囲】
【請求項１】
通信体本体（１）　が、折り畳み可能に連設された少なくとも２枚の折り合わせ片（１ａ），（１ｂ）　からなり、且つ該２枚の折り合わせ片（１ａ），（１ｂ）　にガスバリヤー性の合成樹脂フィルムからなるバリヤーフィルム（４）　が接着され、且つ折り畳まれる２枚の折り合わせ片（１ａ），（１ｂ）　の内面側の前記バリヤーフィルム（４）　の対面する面が相互に剥離可能に接着され、しかも前記剥離可能に接着されるバリヤーフィルム（４）　の対面する面間に芳香剤が介装されていることを特徴とする香り付きの葉書等の通信体。
【請求項２】
バリヤーフィルム（４）　が、ガスバリヤー性のベースフィルム（７）　と、熱接着性の表層フィルム（８）　とがラミネートされて構成されている請求項１記載の香り付きの葉書等の通信体。
【請求項３】
ベースフィルム（７）　が、ケイ素酸化物、ケイ素窒化物、若しくはアルミニウム酸化物がポリエステルに蒸着された蒸着ポリエステルフィルム、又は延伸ポリプロピレンフィルム、ポリエステルフィルム、若しくはポリアミド樹脂フィルムにポリ塩化ビニリデンがコートされたポリ塩化ビニリデンコートフィルムである請求項２記載の香り付きの葉書等の通信体。
【請求項４】
表層フィルム（８）　が、未延伸ポリプロピレンフィルム又は未延伸ポリエチレンフィルムである請求項２又は３記載の香り付きの葉書等の通信体。
【発明の詳細な説明】
【０００１】
【発明の属する技術分野】
本発明は、印刷表示媒体や通信文等の情報を隠蔽して郵送するために、その情報等の表示面を、剥離可能に接着した葉書等の通信体であって、剥離した際に芳香成分を放出することのできる葉書等の通信体に関する。
【０００２】
【従来の技術】
従来より、印刷表示媒体や通信文等の情報を隠蔽して郵送するために、その情報等の表示面を、剥離可能に接着した葉書等の通信体として種々のものが開発されているが、さらに受信者に興趣をもたらすために、剥離した際に芳香成分を放出することのできるような葉書の発明もなされている。
【０００３】
このような発明として、たとえば下記特許文献１や特許文献２のような発明がなされている。
【０００４】
【特許文献１】
特開平６−７２０７５　号公報
【特許文献２】
特開平８−３９９７１　号公報
【０００５】
特許文献１に係る発明は、基材の少なくとも密着予定面のほぼ全面に加圧により粘着する粘着剤層を形成し、前記基材を折り返し又は積層して、対向する面の前記粘着剤層同士を密着した後に、前記粘着剤層から剥離しうる葉書であって、前記粘着剤の内部または表面若しくは裏面に、芳香成分を封入したマイクロカプセルを複数種類混在させたことを特徴とするものである（請求項１）。
【０００６】
また、特許文献２に係る発明は、葉書部とカタログ部とを切り部を介して連接してなり、前記カタログ部は、通常では接着せず、一定の条件が与えられると接着可能となり、接着後には剥離可能な接着剤によって、剥離可能に接着された重ね合わせ接着面を有し、この重ね合わせ接着面には商品情報を表示する一方、前記接着剤には香料が添加されていることを特徴とするものである（請求項１）。
【０００７】
【発明が解決しようとする課題】
特許文献１に係る発明では、芳香成分がマイクロカプセルに封入されているので、芳香成分は急激に揮発せず、徐々に放出されることとなるが、そのマイクロカプセルは、粘着剤の内部または表面若しくは裏面に設けられているだけであるので、対向する面の粘着剤層同士が密着されていたとしても、その粘着剤層間から芳香成分が徐々に放出されるのを妨げることはできない。
【０００８】
また、特許文献２に係る発明にも、発明の詳細な説明には香料をマイクロカプセルに封入することが開示されているが、香料は、接着剤に単に添加されているだけであるので、葉書部とカタログ部とが接着されている状態であっても、芳香成分が放出されるのを妨げることができない。
【０００９】
従って、いずれの特許文献においても、葉書の対向する面が相互に密着状態で接着されていても、芳香成分が放出されるのを妨げることができないので、受信者において葉書の対向する面を剥離したときには、もはや芳香成分が放出されて残存していないという事態も生ずることとなる。
【００１０】
しかも、葉書が密着状態で芳香成分が放出された場合、たとえば郵便局等、発送途中の場所において香り成分が不用意に揮散して充満するおそれがあるという問題点もある。
【００１１】
本発明は、このような問題点を解決するためになされたもので、通信体を開封しない限り芳香成分が不用意に放出されることがなく、しかも開封すれば芳香成分が速やかに放出されて受信者に所望の芳香を付与することができる葉書等の通信体を提供することを課題とするものである。
【００１２】
【課題を解決するための手段】
本発明は、このような課題を解決せんとするもので、その課題を解決するための手段は、通信体本体１が、折り畳み可能に連設された少なくとも２枚の折り合わせ片１ａ，１ｂ　からなり、且つ該２枚の折り合わせ片１ａ，１ｂ　にガスバリヤー性の合成樹脂フィルムからなるバリヤーフィルム４が接着され、且つ折り畳まれる２枚の折り合わせ片１ａ，１ｂ　の内面側の前記バリヤーフィルム４の対面する面が相互に剥離可能に接着され、しかも前記剥離可能に接着されるバリヤーフィルム４の対面する面間に芳香剤を介装したことである。
【００１３】
本発明の葉書等の通信体は上記のような構成からなるため、少なくとも２枚の折り合わせ片１ａ，１ｂ　間が接着された状態においては、芳香剤はバリヤーフィルム４の対面する面間に介装されているので、少なくとも葉書等の通信体が開封される前には、そのバリヤーフィルム４によって、芳香剤が不用意に揮発するのが防止されることとなる。
【００１４】
一方、葉書等の通信体が開封された後には、バリヤーフィルム４の対面する面間に介装されていた芳香剤が裸出される状態になるので、その芳香剤は揮散され、所望の香りが発せられることとなるのである。
【００１５】
バリヤーフィルム４としては、たとえばガスバリヤー性のベースフィルム７と、熱接着性の表層フィルム８とがラミネートされて構成されたようなものが用いられる。ここで、ベースフィルム７としては、たとえばケイ素酸化物、ケイ素窒化物、若しくはアルミニウム酸化物がポリエステルに蒸着された蒸着ポリエステルフィルム、又は延伸ポリプロピレンフィルム、ポリエステルフィルム、若しくはポリアミド樹脂フィルムにポリ塩化ビニリデンがコートされたポリ塩化ビニリデンコートフィルムのようなものが用いられる。また、ポリビニルアルコールフィルム、ポリ塩化ビニルフィルム、エチレン−酢酸ビニル樹脂の部分ケン化物のフィルム（エバールフィルム）、ポリアクリル酸系樹脂がコートされたポリエステルフィルム又はポリアミド樹脂フィルムのようなものを用いることも可能である。
さらに、表層フィルム８としては、未延伸ポリプロピレンフィルム又は未延伸ポリエチレンフィルムのようなものが用いられる。
【００１６】
【発明の実施の形態】
以下、本発明の実施形態について図面に従って説明する。
【００１７】
図１乃至図６において、１は１枚のシートからなる紙製の葉書本体で、同じ大きさからなる２枚の折り合わせ片１ａ，　１ｂが連設して構成されている。
一方の折り合わせ片１ａの外面側には、図１に示すように宛先，宛名表示部２が設けられ、又、両折り合わせ片１ａ，１ｂ　の内面側には図５に示すようにそれぞれ情報表示部３ａ，３ｂ　が設けられている。
【００１８】
そして、その折り合わせ片１ａ，１ｂ　の内面側の略全面には、図３のようにバリヤーフィルム４が、ポリウレタン樹脂からなる接着剤５を介して剥離不能に接着されている。
【００１９】
このバリヤーフィルム４は、図４に示すように、ケイ素酸化物がポリエステルに蒸着された蒸着ポリエステルフィルムからなるベースフィルム７と未延伸ポリプロピレンからなる表層フィルム８とが、ポリウレタン樹脂からなる接着剤９を介してラミネートされた構成からなるもので、表層フィルム８が表面側に位置するように、前記葉書本体１に接着されている。
【００２０】
そして、前記両折り合わせ片１ａ，１ｂ　は、前記情報表示部３ａ，３ｂ　が内面側となるように折曲部６を介して折り曲げられ、且つその折り合わせ片１ａ，１ｂ　の内面側に設けられたバリヤーフィルム４の相対面する面、より具体的には表層フィルム８が位置する面が、剥離可能に接着されている。
【００２１】
また、剥離可能に接着されたバリヤーフィルム４の相対面する面間には、芳香剤が介装されている。この芳香剤は、図示しないが、両折り合わせ片１ａ，１ｂ　のうちの少なくとも一片の略中央に塗着されており、またその塗着量は、折り合わせ片１ａ，１ｂ　からはみでることがないような量に予め調整されている。
【００２２】
図２において、１０は、前記折り合わせ片１ｂの外面側に設けられた宣伝，広告欄を示す。
【００２３】
次に、上記のような構成からなる葉書１１を受信した受信者は、両折り合わせ片１ａ，１ｂ間を剥離すると、図４及び図５に示すように、葉書が展開されて情報表示部３ａ，３ｂ　に表示された情報が判読できることとなる。この場合、両折り合わせ片１ａ，１ｂは透明なバリヤーフィルム４を透過して裸出されるため、情報表示部３ａ，３ｂ　に表示された情報を判読するのに支障を生ずることもない。
【００２４】
さらに、上記のように剥離可能に接着された状態において、バリヤーフィルム４の相対面する内面間には、芳香剤が介装されていたため、上記のように両折り合わせ片１ａ，１ｂ間を剥離されて葉書が展開されると、芳香剤は裸出された状態となり、香り成分が放散されて受信者に興趣をもたらすこととなる。
【００２５】
ここで、バリヤーフィルム４は、ケイ素酸化物がポリエステルに蒸着された蒸着ポリエステルフィルムからなるベースフィルム７と、未延伸ポリプロピレンフィルムからなる表層フィルム８とがラミネートされた構成からなり、ガスバリヤー性を有するものであるので、上記のように折り合わせ片１ａ，１ｂ　が折り曲げられ、バリヤーフィルム４の相対面する面が接着された状態においては、芳香剤の香り成分が外部に不用意に漏洩し、揮散することがない。
【００２６】
従って、開封されない限り芳香剤の香り成分の漏洩、揮散が防止されて香り成分が維持され、開封されてはじめて香り成分が発散されるので、たとえば発送途中の郵便局等では香り成分が発散されることはなく、受信者においてのみ香り成分が発散されることとなる。
【００２７】
尚、上記実施形態では葉書本体１が２つ折りに形成されてなるが、必ずしも２つ折りに限定されるものではなく、たとえば３つ折りのものであってもよい。要は、少なくとも２つ折り可能な２枚の折り合わせ片によって葉書本体１が形成されていればよいのである。
【００２８】
また、該実施形態では、バリヤーフィルム４としてベースフィルム７と表層フィルム８とがラミネートされたものが用いられ、そのベースフィルム７としてケイ素酸化物をポリエステルフィルムに蒸着したケイ素酸化物蒸着ポリエステルフィルムを用いたが、ベースフィルム７の材質はこれに限定されるものではなく、ケイ素窒化物蒸着ポリエステルフィルム、アルミニウム酸化物蒸着ポリエステルフィルムのようなものを用いることも可能である。尚、これらの蒸着フィルムは、金属酸化物等を蒸着したものではあるが、透明であるので情報の判読に支障を生ずることはない。
また、たとえばポリ塩化ビニリデンがコートされた延伸ポリプロピレンフィルム、ポリ塩化ビニリデンがコートされたポリアミド樹脂フィルム、ポリ塩化ビニリデンがコートされたポリエステルフィルム、ポリ塩化ビニリデンがコートされたセロファン等を使用することも可能である。
さらに、ポリビニルアルコールフィルム、ポリ塩化ビニルフィルム、エチレン−酢酸ビニル樹脂の部分ケン化物のフィルム（エバールフィルム）、ポリアクリル酸系樹脂がコートされたポリエステルフィルム又はポリアミド樹脂フィルムのようなものをベースフィルム７として用いることも可能である。
【００２９】
いずれにしても、ベースフィルム７の材質は問うものではないが、上記ケイ素酸化物蒸着ポリエステルフィルムは、ガスバリヤー性が非常に優れており、最も好ましい。またケイ素窒化物蒸着ポリエステルフィルムやアルミニウム酸化物蒸着ポリエステルフィルムは、ケイ素酸化物蒸着ポリエステルフィルムほどではないが、優れたガスバリヤー性を有する。
さらに、ポリ塩化ビニリデンは塩素を含み極性が高くガスバリヤー性に優れ、しかも汎用性の合成樹脂であるので、これを延伸ポリプロピレン、ポリアミド樹脂、ポリエステル等の汎用性合成樹脂にコートしたものは好適に使用できる。
【００３０】
さらに、表層フィルム８として上記実施形態では未延伸ポリプロピレンフィルムを用いたが、これに限らず、たとえば延伸ポリプロピレンフィルムやポリエチレンフィルム、さらにはエチレン−アクリル酸共重合樹脂フィルム等を使用することができる。いずれにしても表層フィルム８には熱接着性のものが用いられる。
【００３１】
さらに、上記のようなラミネートフィルム以外に、単層のフィルムを用いることも可能である。たとえば、ポリ塩化ビニル樹脂フィルム、ポリ塩化ビニリデン樹脂フィルム、エチレン−酢酸ビニル樹脂の部分ケン化物のフィルム（エバールフィルム）、ポリビニルアルコールフィルム、ポリアクリル酸系樹脂を延伸ポリプロピレン、ポリアミド樹脂、ポリエステル等にコートしたポリアクリル酸系樹脂コートフィルム等を用いることも可能である。
【００３２】
尚、単層のフィルムを用いる場合には、熱接着性の接着剤を別途設けるか、若しくはそれ自体でガスバリヤー性と熱接着性の双方の機能を有するフィルムを用いることが必要である。
【００３３】
さらに、芳香剤の種類も問うものではなく、花の香り、果物の香りを放散するもの等、その種類は問うものではない。
【００３４】
また、芳香剤を塗着する位置も上記実施形態のように折り合わせ片１ａ，１ｂのいずれか一方の中央に限定されるものではないが、折り合わせ片１ａ，１ｂの連結部分である折曲部は密着できないので、その折曲部の位置に芳香剤が塗着されないように留意する必要がある。
【００３５】
さらに、芳香剤を設ける手段も、ブラシ等で塗着する手段や印刷によって塗着する手段等、問うものではない。
【００３６】
さらに、上記実施形態では、バリヤーフィルム４を葉書本体１に接着させる接着剤５としてポリウレタン接着剤を用いたが、接着剤５の材質も該実施形態のポリウレタン樹脂に限らず、それ以外の樹脂を用いることも可能である。
【００３７】
さらに、情報表示欄３ａ，３ｂ　に表示される情報は、印刷等によって表示されるものの他、プリンターで印字して情報を表示することも可能である。さらに、このような情報表示欄３ａ，３ｂ　を形成することは本発明に必須の条件ではない。
【００３８】
従って、本発明の用途も、郵送用や輸送用として使用される通信媒体としてのシートに限定されず、単なる商品のディスプレイ用として使用することも可能であり、また、その他の用途に使用することも可能である。
【００３９】
尚、上記のような本発明の葉書等の通信体は、上記のようなバリヤーフィルムによって葉書の開封前における芳香剤の不用意な放散が防止されるものではあるが、上記通信体が送信者と受信者間で使用される前に、たとえば多数枚段ボール箱に箱詰めされて販売業者間を流通する段階では、その段ボール箱を開封した際には、バリヤーフィルムによって不用意な臭気の放散が防止されているといえども、箱詰めされた通信体の枚数いかんによっては臭気の放散を防止できない場合もある。
そこで、このような場合には、そのような箱内に消臭剤を滴下して芳香剤の臭気の強さを調整することも可能である。
【００４０】
尚、上記のような消臭剤は、葉書等の通信体に微量具備させることも可能であり、それによって通信体に具備された芳香剤の量が多すぎる場合や、芳香剤の臭気が強すぎる場合に、これを抑制することができる。
【００４１】
【実施例】
２面の情報表示面を有する葉書台紙と、ケイ素酸化物蒸着ポリエステルフィルムにポリウレタン樹脂接着剤を介して未延伸ポリプロピレンフィルムをラミネートしたバリヤーフィルムとを準備し、そのバリヤーフィルムの未延伸ポリプロピレンフィルム側が表になるように、ポリウレタン樹脂を介して接着し、完全に硬化させた。
【００４２】
次に、ラベンダーの香りのする香料を、上記バリヤーフィルムの未延伸ポリプロピレンフィルムの中央部（より詳しくは２面の情報表示面のうちの片面側の中央部）上に微量付着させ、両情報表示面を約１００度の温度で圧着した。
このように両表示面を圧着した２つ折りの葉書は、１ケ月経過後も匂いが外部に漏洩せず、開封するとラベンダーの香りを元のまま保持していた。
【００４３】
【発明の効果】
以上のように、本発明は、通信体本体が、折り畳み可能に連設された少なくとも２枚の折り合わせ片からなり、且つ該２枚の折り合わせ片にガスバリヤー性の合成樹脂フィルムからなるバリヤーフィルムが接着され、且つ折り畳まれる２枚の折り合わせ片の内面側の前記バリヤーフィルムの対面する面が相互に剥離可能に接着され、しかも前記剥離可能に接着されるバリヤーフィルムの対面する面間に芳香剤が介装されているものであるため、少なくとも２枚の折り合わせ片間が接着された状態、すなわち葉書等の通信体が開封される前には、芳香剤はバリヤーフィルムによって不用意に揮発するのが防止されることとなる。
【００４４】
その結果、受信者において葉書の対向する面を剥離したときには、もはや芳香成分が放出されて残存していないという事態が生ずることもなく、また郵便局等の発送途中の場所において香り成分が不用意に揮散して充満するおそれもないという効果がある。
【００４５】
また、葉書等の通信体が開封された後には、バリヤーフィルムの対面する面間に介装されていた芳香剤が裸出される状態になるので、その芳香剤は揮散され、所望の香りが発せられることとなる。すなわち、葉書を開封するだけの簡易な作業で且つ受信者において必然的になされる作業によって芳香剤の香りの成分を放出することができる。
【００４６】
さらに、バリヤーフィルムが、ガスバリヤー性のベースフィルムと、熱接着性の表層フィルムとをラミネートして構成されたようなものである場合には、本発明の通信体に具備されるバリヤーフィルムに必要なガスバリヤー性と熱接着性との双方の機能を、汎用性のフィルム等を用いることで簡易に具備させることができるという効果がある。
【００４７】
特に、ベースフィルムとしてケイ素酸化物蒸着ポリエステルフィルム、ケイ素窒化物蒸着ポリエステルフィルム、アルミニウム酸化物蒸着ポリエステルフィルムのような蒸着ポリエステルフィルムはガスバリヤー性が非常に優れているので、これらの蒸着ポリエステルフィルムを用いた場合には、芳香剤の不用意な放散防止用の通信体用疑似接着フィルムとして好適に使用することができる。
【図面の簡単な説明】
【図１】一実施形態の葉書の正面図。
【図２】同背面図。
【図３】図１のＡ−Ａ線中間省略拡大断面図。
【図４】バリヤーフィルムの構造を示す拡大断面図。
【図５】葉書の開封時の正面図。
【図６】図４のＢ−Ｂ線中間省略拡大断面図。
【符号の説明】
１…葉書本体　　　　　　　　１ａ，１ｂ　…折り合わせ片
４…バリヤーフィルム
【図１】
2004136618.tif 000003
【図２】
2004136618.tif 000004
【図３】
2004136618.tif 000005
【図４】
2004136618.tif 000006
【図５】
2004136618.tif 000007
【図６】
2004136618.tif 000008